(57)【特許請求の範囲】
【請求項１】
液体を吸収する吸収体と当該吸収体を被覆するカバーシートとから成る吸収シート体と、
吸収性物品に取り付けるための粘着層を有する接合シート体と、
前記吸収性物品と前記吸収シート体とを繋ぐ連結茎体と、
を備える吸収性物品取り付け用補助パッドであって、
前記連結茎体は、前記吸収シート体と前記吸収性物品との連動を遮断し得る柔軟性を備え、前記吸収シート体に対して垂直に延び、前記吸収性物品に対して着脱可能であること、
を特徴とする吸収性物品取り付け用補助パッド。
【請求項２】
前記連結茎体は、前記吸収性物品取り付け用補助パッドのほぼ中央に位置するように取り付けられていることを特徴とする請求項１記載の吸収性物品取り付け用補助パッド。
【請求項３】
前記連結茎体は、高さ寸法が１から１５ｍｍの範囲の長さ寸法であることを特徴とする請求項１又は２記載の吸収性物品取り付け用補助パッド。
【請求項４】
前記連結茎体は、弾性伸縮部材を含有することを特徴とする請求項１から３いずれか記載の吸収性物品取り付け用補助パッド。
【請求項５】
前記連結茎体は、連結シートから成ることを特徴とする請求項１から４いずれか記載の吸収性物品取り付け用補助パッド。
【請求項６】
前記吸収シート体は、複数の層から成り、それらの少なくとも１つは弾性回復シートであることを特徴とする請求項１から５いずれか記載の吸収性物品取り付け用補助パッド。
【請求項７】
前記吸収シート体は、当該吸収シート体が折曲形成された切妻屋根状の山状部を有することを特徴とする請求項６記載の吸収性物品取り付け用補助パッド。
【請求項８】
前記山状部の長手方向の両裾部には、折曲の広がりを規制する規制シートが取り付けられていることを特徴とする請求項７記載の吸収性物品取り付け用補助パッド。
【請求項９】
体液吸収を行うものとしての一般的な使用に供され得る一般吸収性物品と、
この一般吸収性物品よりも体液吸収能が小さく、当該一般吸収性物品と共に使用されてその体液吸収能を補助するものとして機能する特殊吸収性物品と、
を繋ぐ連結茎体であって、
前記吸収シート体に対して垂直に延び、前記一般吸収性物品に着脱可能に取り付けられ、前記一般吸収性物品と前記特殊吸収性物品との連動を遮断し得る柔軟性を備えたものであることを特徴とする連結茎体。
【請求項１０】
体液吸収を行うものとしての一般的な使用に供され得る一般吸収性物品と、
この一般吸収性物品よりも体液吸収能が小さく、当該一般吸収性物品と共に使用されてその体液吸収能を補助するものとして機能する特殊吸収性物品と、
前記吸収シート体に対して垂直に延び、前記一般吸収性物品に着脱可能に取り付けられ、前記一般吸収性物品と前記特殊吸収性物品とを繋ぐ連結茎体と、を備え、
前記一般吸収性物品及び前記特殊吸収性物品は、それぞれ単独もしくは組み合わせて使用されるものであり、かつ、前記連結茎体と適宜組み合わせて使用されるものである衛生用品セット。
【発明の詳細な説明】
【０００１】
【発明の属する技術分野】
本発明は、生理用ナプキン等の吸収性物品の位置ズレに伴う体液のモレを防止する吸収性物品取り付け用補助パッドに関する。
【０００２】
【従来の技術】
従来より、体液を吸収する衛生用品として、生理用ナプキンのような吸収体を内包させた吸収性物品が広く使用されている。ここで、特に需要層の厚い生理用ナプキンに対しては、経血のモレを防ぐべく、多大なる努力が払われている。また、装着位置のズレを防止すべく、様々な工夫も施されてきている。
【０００３】
しかしながら、生理用ナプキンとは、元来下着に取り付けられるものであり、着用者の内股と密着して装着されるものではないことから、膣口とナプキンとの間に隙間が生じて経血が漏れ出しやすい。この点、生理用ナプキンの経血吸収を補助するものとして、実開平１−１１９６３１号公報においては生理用ナプキンと重ねて使用される小型ナプキンが開示されており、特開平１０−１２７６９２号公報においては臀部に挟み込んで生理用ナプキンと併用使用される棒状の補助吸収体が開示されている。これらの補助具は、いずれも、着用者の内股とナプキンとの間に生じる隙間を埋めるものであるため、ナプキン単独で使用する場合と比較して、経血のモレ防止機能が高いと言える。
【０００４】
ところが、これらの補助具は、歩行等の着用者の身体の動きに伴う圧縮や長時間の着用による湿潤によって型崩れが生じることがあり、補助具の身体に接する面が着用者の股間に密着してフィットしなくなるおそれがある。かかる場合には、補助具と身体との間に隙間が生じ、そこから経血のモレが生じやすくなるため、生理用ナプキンを補助してモレを防止する、という機能が十分に発揮されないこととなる。
【０００５】
このような補助具の着用後の変形に対する改善を図ったものとして、内部を中空とした弾性層から成る棒状のパッドが特開２０００−３２５３９５号公報において開示されている。しかし、この補助具は、単に弾性部材を中空に配した構造のものにすぎないため、着用時には弾性層がつぶれるおそれがあり、そうなってしまった場合には、吸収能力が低下して、経血のモレ防止が十分に図れないこととなる。
【０００６】
【発明が解決しようとする課題】
しかも、上述の補助具は、いずれも生理用ナプキンに固着して用いられるのが前提となっていることから、着用者の活動に応じて生理用ナプキンに位置ズレやヨレ等の変形が生じた場合には、一緒に位置ズレや変形を起こしてしまうことにもなる。
【０００７】
更に、上述の補助具は、生理用ナプキンに固着されているために、生理用ナプキンが汚れていない場合であっても、補助具のみならず生理用ナプキンまで取り替えなくてはならないという事態が生じ、却って着用者の負担を増加させてしまうという問題もある。
【０００８】
以上のようなことから、上述のような従来の吸収性物品用の補助具は、装着ズレに伴う体液のモレ発生の低減や内股への密着性を十分に確保するまでには至っていないのが現状である。
【０００９】
本発明は、以上のような課題に鑑みてなされたものであり、その目的は、着用者の内股との密着性を維持しながらにして、装着ズレを起こした場合であっても、体液のモレの発生を低減できるような衛生用品を提供することにある。
【００１０】
本発明の他の目的は、着用者の大腿部による圧力によって生じるつぶれや変形に左右されずに、適格に経血のモレ防止を図ることができる衛生用品を提供することにある。
【００１１】
【課題を解決するための手段】
上記のような課題を解決するために、本発明においては、補助具を小さくすると共に、これをフレキシブルに動けるようにしたことにより、吸収体による吸収効率を向上させると共に、着用者の動きに追従して補助具が自在に動けるようにしたことによって、体液のモレ発生のおそれを著しく低減させたこと、より具体的には、股間に密着的に位置する吸収シート体が連結茎体を介して吸収性物品に取り付けられるようにしたことを特徴とする。
【００１２】
そして、前記連結茎体を着脱自在とすることにより、吸収性物品をそのままに補助具のみを取り替え可能としたことをも特徴とする。
【００１３】
より具体的には、本発明は、以下のようなものを提供する。
【００１４】
（１）液体を吸収する吸収体と当該吸収体を被覆するカバーシートとから成る吸収シート体と、吸収性物品に取り付けるための粘着層を有する接合シート体と、前記吸収シート体と前記接合シート体とを繋ぐ連結茎体と、から成る吸収性物品取り付け用補助パッドであって、前記連結茎体は、前記吸収シート体と前記吸収性物品との連動を遮断し得る柔軟性を備えたものであることを特徴とする吸収性物品取り付け用補助パッド。
【００１５】
このような本発明に係る吸収性物品取り付け用補助パッドによれば、体液を吸収するための吸収シート体と、該吸収シート体を吸収性物品に保持するための接合シート体とが、これらの間の連動を遮断し得る柔軟性を備えた連結茎体によって繋げられており、吸収シート体が吸収性物品に直接固着されていない。このため、下着に取り付けられた吸収性物品が、着用者の歩行等の活動により移動しても、吸収シート体がそれに伴って一緒に動いてしまうというようなことがない。
【００１６】
即ち、前記連結茎体は柔軟性を有しているため、吸収シート体は吸収性物品の移動に追動するというようなこともなく、股間内に留まることができる。更に言えば、吸収性物品が着用者の内股に対して相対的な位置ズレを起こしてしまったとしても、連結茎体のみがフレキシブルに変形するだけなのであり、吸収シート体までもが位置ズレを起こしてしまうというようなことはないのである。このため、吸収シート体は着用者の内股に密着して位置付けられた状態を維持することができ、吸収性物品の装着ズレに伴う体液のモレの発生を著しく低減することができる。
【００１７】
また、本発明によれば、連結茎体の存在により、吸収性物品の身体側面において、吸収シート体が密着した状態とはなっていない。
【００１８】
この点、従来例においては、実質的には吸収体が密着的に二枚重ねになっているにすぎないため、身体側に面する補助具の表面が飽和状態に達してしまった場合には、補助具が固着されている部分において、吸収性物品に体液は吸収されないこととなり、体液吸収効率の向上という観点からは二枚重ねが無意味となっている。
【００１９】
これに対し、本発明は、マクロ的な視野から見れば、吸収体が二枚重ねとなっているということであっても、ミクロ的な視野から見れば、吸収性物品と補助パッドとが密着させられていないことから、従来のように吸収性物品に補助具が直接取り付けられている場合と比較して、吸収性物品の体液吸収可能範囲が広くなっている。このため、補助パッド及び吸収性物品の双方が、効率良く体液を吸収できるのである。
【００２０】
本発明に係る補助パッドは、吸収性物品と一体形成されているわけではないので、接合シート体に塗布される粘着剤を吸収性物品の表面の毛羽立を抑えて剥がすことが可能な素材とすることにより、着脱自在とすることができる。このようにした場合には、流出する体液の量が少ないときには、吸収性物品をそのままに、本発明に係る補助パッドのみを交換することが可能となる。これにより、着用者は、補助パッドのみを予備として持ち歩けばよく、携帯の上で便利である。
【００２１】
「連結茎体」の長手方向の長さ寸法は、吸収シート体の長手方向と同等の長さ寸法を有したものであってもよいが、少なくとも吸収シート体に対して全長の２／３以上であれば、吸収シート体より短い寸法であっても構わない。なお、この寸法を有するのであれば、一連に設けるほか、部分的に設けることも可能である。また、「連結茎体」の短手方向の寸法は、素材の厚みにもよるが、０．５ｍｍから３０ｍｍの範囲とするのが好ましい。このような長さ寸法とすることにより、着用者の動作に応じて適切な変形が可能となる。
【００２２】
「吸収シート体」の外観形状は、長方形状、長楕円形状、砂時計型形状などから着用者の股間に好適に装着できるものを適宜選択することが可能である。
【００２３】
吸収シート体の長手方向の全長寸法は、６０から２００ｍｍ程度の範囲とするのが好ましく、より好ましくは８０から１５０ｍｍの範囲とするのがよい。また、短手方向の寸法は１０から５０ｍｍの範囲が好ましく、より好ましくは１５から４０ｍｍの範囲である。吸収シート体の嵩は、好適な吸収能力を有する吸収体の含有量を考慮した場合には、３から３０ｍｍの範囲が好ましく、より好ましくは１０から２０ｍｍの範囲とするのがよい。
【００２４】
「吸収シート体」において、吸収体をカバーシートが内包する構造としては、吸収体が離脱しないように封入されていれば特に限定されるものではなく、カバーシートが吸収体の全体を包むように包囲した「封入タイプ」や、吸収体の周縁において上面と下面とに二枚のカバーシートを配置して両者を接合した「貼り合わせタイプ」の構造などを、適宜採用することが可能である。
【００２５】
「カバーシート」は、直接に着用者の肌に接するものであるため、柔軟で着用感を阻害しない液透過性のものが使用される。例えば、繊維シート、開孔繊維シート、開孔フォームフィルム等から選択することができる。具体的には、ＰＥ／ＰＰ構造を有する２．２ｄｔｅｘの親水性処理を施した繊維を、２５ｇ／ｍ２の目付でシート化したスルーエアシートを使用するのが好ましい。なお、吸収シート体に「貼り合わせタイプ」の構造を採用した場合には、身体側面に液透過性素材を、反身体側面に液不透過性素材を使用することも可能である。
【００２６】
「吸収体」の形態は、特に限定されるものではなく、その断面形態を板状、円状、角状、三角形状、筒状、あるいは中空状等、いずれも採用することができる。最大嵩寸法は、３から３０ｍｍの範囲とするのが好ましく、より好ましくは１０から２０ｍｍとするのがよい。なお、吸収体の中央部は端部より厚く若干隆起した中央部を有するようにすることにより、吸収効率及び着用感が優れた吸収シート体を形成することができる。
【００２７】
接合シート体の長手方向の長さ寸法は、吸収シート体２の長手方向の全長と同等の寸法とすることもできるが、粘着剤塗布域を考慮し、少なくとも吸収シート体に対して２／３以上の長さ寸法を有するのであれば、吸収シート体より短い寸法としても構わない。短手方向の長さ寸法は、５から５０ｍｍの範囲が好ましく、より好ましくは１０から４０ｍｍの範囲とするのがよい。
【００２８】
接合シート体の反身体側面に塗布される「粘着剤」には、ＳＢＳ（スチレン‐ブタジェン‐スチレンブロック共重合体）、ＳＩＳ（スチレン‐イソプレン‐スチレンブロック共重合体）などの合成ゴムを主体としたホットメルトから選ぶことが望ましい。このような粘着剤は、面状、筋状、ドット状、螺旋状などのパターンで、反身体側面のほぼ全面にわたって塗布される。
【００２９】
本発明における吸収性物品には、生理用ナプキンのほか、産後用ナプキン、術後用ナプキン等、体液吸収を目的とする衛生用品に対して広く利用することができる。
【００３０】
（２）前記連結茎体は、前記吸収性物品取り付け用補助パッドのほぼ中央に位置するように取り付けられていることを特徴とする（１）記載の吸収性物品取り付け用補助パッド。
【００３１】
本発明に係る吸収性物品取り付け用補助パッドよれば、吸収シート体の短手方向のほぼ中央において、長手方向に延在するように連結茎体が取り付けられている。このため、装着時においても吸収シート体が左右いずれかに傾くというようなことがなく、安定した状態で吸収性物品上に支持される。このため、吸収性物品が、着用者の身体に対して位置ズレを生じたとしても、当該吸収シート体の内股に対して良好な接触状態を維持することができる。
【００３２】
（３）前記連結茎体は、高さ寸法が１から１５ｍｍの範囲の長さ寸法であること、より好ましくは３から１０ｍｍの範囲の長さ寸法であることを特徴とする（１）又は（２）記載の吸収性物品取り付け用補助パッド。
【００３３】
このような本発明に係る吸収性物品取り付け用補助パッドによれば、連結茎体の高さ寸法が１から１５ｍｍの範囲の長さ寸法となっている。仮に、連結茎体の高さ寸法が１ｍｍより短い場合には、吸収シート体が吸収性物品の移動に追従してしまい、上記従来例のように密着的に吸収シート体を取り付けた場合と同様の結果となってしまう。一方、１５ｍｍより長い場合には、連結茎体がその形状をある程度維持しながら吸収シート体を支えることが難しく、折れ曲がりやすくなる。また、着用感を害するおそれもある。
【００３４】
この点、本発明によれば、吸収シート体に対する吸収性物品の位相量が大きくなってしまった場合でも、吸収シート体が着用者の内股に対して確実に接触した状態を維持し得るため、体液のモレをより一層低減することが可能となる。
【００３５】
（４）前記連結茎体は、弾性伸縮部材を含有することを特徴とする（１）から（３）いずれか記載の吸収性物品取り付け用補助パッド。
【００３６】
このような本発明に係る吸収性物品取り付け用補助パッドによれば、連結茎体が、弾性伸縮部材を含有するため、適度な剛軟性を保有することが可能となっている。このため、吸収性物品の移動に伴って連結茎体が変形しても、装着時の形状に戻ることが容易となっている。
【００３７】
本発明に使用できる「弾性伸縮部材」としては、ＳＥＢＳ（スチレン‐エチレン・ブタジエン‐スチレンブロック共重合体）、ＳＩＳ（スチレン‐イソプレンースチレンブロック共重合体）、ポリウレタン、ＳＥＰＳ（スチレン‐エチレン・プロピレン‐スチレンブロック共重合体）等の合成ゴムを主体としたフィルム、不織布又は天然ゴムから得られる帯状、糸状のものを用いることができる。
【００３８】
連結茎体における弾性伸縮部材の附設域は、連結茎体と同等の長さを有するようにしてもよいが、少なくとも連結茎体において５０％以上の附設長さが設けられるのであれば、連結茎体よりも短い範囲であっても構わない。このような範囲で弾性伸縮部材を附設することにより、上述のような変形回復機能を担保することができる。
【００３９】
なお、弾性伸縮部材は、１．１〜１．５倍に伸張して固定し、かかる伸張時における応力が３００から１０００ｍＮになることが好ましい。この弾性伸縮部材の応力は、弾性伸縮材料をテンシロン引張試験機にてチャック間隔１００ｍｍにセットし、速度１００ｍｍ／ｍｉｎで引張り、前記の伸張倍率になった時点の荷重を読み取ることにより確認できる。弾性伸縮部材の固定方法は、弾性伸縮部材の表面または連結茎体の内面側に、コーターあるいは霧状・網目状・Ω状のスプレイで接着剤を塗布し、ニップ圧を加え、互いを接着することにより行う。以上のような伸張倍率、応力、固定方法を用いることにより、連結茎体が過度な変形を起こすことを防止することができる。
【００４０】
（５）前記連結茎体は、連結シートから成ることを特徴とする（１）から（４）いずれか記載の吸収性物品取り付け用補助パッド。
【００４１】
このような本発明に係る吸収性物品取り付け用補助パッドによれば、連結茎体は繊維状の連結シートを１枚又は複数枚重ねることにより形成される。即ち、本発明によれば、連結茎体とカバーシートが異なるシートから成るため、カバーシートとは無関係に、連結茎体に相応しい素材の連結シートを適宜選択することが可能となる。
【００４２】
本発明に使用できる連結シートとしては、円柱状、角状、板状又は積層状の繊維シート又はフォームシートを使用することができる。これらのシートは、吸収材として機能することができるように、親水性処理を施したものとするのが好ましい。
【００４３】
繊維シートとしては、例えば、ＰＥ／ＰＰ、ＰＥ／ＰＥＴ等の芯鞘構造であり、かつ、二次元若しくはクリンプ状の倦縮を施した１．１から３．３ｄｔｅｘの太さを有する繊維から選ばれるものを使用することができる。特に、バルキー性に優れた剛直感を与えない製造方法によるもの、具体的には、スルーエア方式で形成された不織布が好ましい。
【００４４】
不織布のシートは、単体若しくは重ね合わせて使用され、１から１５ｍｍの嵩を有するように調整される。例えば、ＰＥ／ＰＥＴで２．２ｄｔｅｘの太さを有する繊維を、スルーエア方式で５０ｇ／ｃｍ２の目付で嵩２．２ｍｍ程度のシートとし、接着剤を介して五枚重ねることにより、約１０ｍｍの連結シートを形成することができる。
【００４５】
フォームシートしては、ＰＥとＥＶＡの混合、ＳＥＢＳ（スチレン‐エチレン‐ブタジエンースチレンブロック共重合体）あるいはポリウレタン等の樹脂を、１０から３０倍の倍率で発泡させた独立気泡又は連続気泡のシートから選ばれるものを使用することができる。具体的にはＰＥとＥＶＡの混合物を１５倍に発泡させた嵩４．２ｍｍ程度のシートを、接着剤を介して三枚重ねることにより、約１２ｍｍの連結茎体としての連結シートとすることができる。
【００４６】
本発明においては、吸収シート体に対して面部分が接するように連結シートを複数枚重ねて連結茎体を構成することができる。このような構成とした場合には、吸収シート体に対して垂直に１枚のシート体を位置付けて連結茎体を構成する場合に比べ、連結茎体の剛性の微妙な調整が可能となる。
【００４７】
（６）前記吸収シート体は、複数の層から成り、それらの少なくとも１つは弾性回復シートであることを特徴とする（１）から（５）いずれか記載の吸収性物品取り付け用補助パッド。
【００４８】
このような本発明に係る吸収性物品取り付け用補助パッドによれば、吸収シート体が弾性回復シートを内包している。このため、本発明に係る補助パッドを装着後、着用者の活動に伴って身体側に接する吸収シート体に傾きや曲がり、あるいはよじれといった変形が生じた場合であっても、吸収シート体が装着時の形状へと戻りやすくなっている。このような構成から、吸収シート体は股間に対して安定した接触状態を維持しやすくなり、使用感を損うことなく、より向上したフィット性が維持されることとなるのである。特に、吸収体の厚みが薄くなってしまうような場合には、着用者にモレの不安を感じさせてしまう場合があるが、本発明によれば、安心感を与える程度の厚みを回復させることができるのである。
【００４９】
「弾性回復シート」は、好ましくはＪＩＳ  Ｌ−１０１８、カンチレバーＡ法での測定値が２０ｍｍから１００ｍｍ、より好ましくは３０ｍｍから７０ｍｍの範囲がよい。このようにすることにより、着用感を損なわず、フィット性を維持することができる。
【００５０】
吸収体と弾性回復シートとは単に重ね合わせるだけでもよいが、これを更に折り曲げたり、円筒状に巻き上げるようにしてもよい。なお、吸収シート体に、コイル状に捲縮した繊維を含むようにした場合には、シートの圧縮回復性をより向上させることが可能となる。
【００５１】
（７）前記吸収シート体は、当該吸収シート体が折曲形成された切妻屋根状の山状部を有することを特徴とする（６）記載の吸収性物品取り付け用補助パッド。
【００５２】
このような本発明に係る吸収性物品取り付け用補助パッドによれば、吸収シート体が身体側に頂部を形成するように切妻屋根状に折り曲げられている。このため、臀部の隙間など、着用者の内股における凹形状部分に吸収シート体を密着的に接触させることができる。特に、体液が尻部の割れ目から背中を伝って流れ出ることにより生じる後方へのモレを、効果的に防止することができるようになる。なお、山状部の頂部を丸みを帯びた湾曲状とすることにより、吸収シート体が着用者の身体にソフトに接触するようにすることも可能である。
【００５３】
（８）前記山状部の長手方向の両裾部には、折曲の広がりを規制する規制シートが取り付けられていることを特徴とする（７）の吸収性物品取り付け用補助パッド。
【００５４】
このような本発明に係る吸収性物品取り付け用補助パッドによれば、山状部の長手方向において、一方裾部から他方裾部にまたがるようにして、規制シートが取り付けられている。このため、着用前に折り曲げられた吸収シート体が広がってしまうのが防止され、着用者は特段の注意を要することなく山状部の形状を本発明に係る補助パッドを着用するまで保つことができる。また、着用時においても、着圧などにより山状部が押しつぶされて平坦状に変形することが抑制され、使用が長時間に及んでもその形状が維持されやすくなる。
【００５５】
規制シートは、吸収体の全長に対し、少なくとも１／５以上の長さ範囲とするのが好ましい。このような寸法とすることにより、折り曲げられた吸収シート体の広がりを確実に防止することが可能となる。
【００５６】
「規制シート」としては、伸縮性シート又は非伸縮性シートのいずれを使用することも可能であるが、伸縮性シートを採用するのが好ましい。伸縮性シートとしては、ＳＥＢＳ（スチレン‐エチレン・ブタジエン‐スチレンブロック共重合体）、ＳＩＳ（スチレン‐イソプレン‐スチレンブロック共重合体）、ポリウレタン、ＳＥＰＳ（スチレン‐エチレン・プロピレン‐スチレンブロック共重合体）等の合成ゴムを主体としたフィルム、不織布又は天然ゴムから得られる帯状、糸状のものが挙げられる。このような伸縮シートは、短手方向に１．１〜１．８倍に伸張した状態で用いられる。この場合、伸縮シートの応力は２ｍＮから８ｍＮになることが好ましい。前記の応力は、弾性伸縮材料をテンシロン引張試験機にてチャック間隔１００ｍｍにセットし、速度１００ｍｍ／ｍｉｎで引張り、前記の伸張倍率になった時点の荷重を読み取ることで確認できる。このような構造とすることにより、着圧を受けた場合でも伸縮材料の伸縮挙動に伴ってより速やかな形態の回復性が得られる。
【００５７】
（９）体液吸収を行うものとしての一般的な使用に供され得る一般吸収性物品と、この一般吸収性物品よりも体液吸収能が小さく、当該一般吸収性物品と共に使用されてその体液吸収能を補助するものとして機能する特殊吸収性物品と、を繋ぐ連結茎体であって、前記一般吸収性物品と前記特殊吸収性物品との連動を遮断し得る柔軟性を備えたものであることを特徴とする連結茎体。
【００５８】
本発明によれば、連結茎体は、生理用ナプキン等の一般吸収性物品とこの一般吸収性物品の体液吸収を補助する特殊吸収性物品とのいずれにも接続されることなく、独立している。このため、着用者は、一般吸収性物品と特殊吸収性物品とをそれぞれ別々に選択して自由に組み合わせ、自己に好適な衛生用品とすることができる。
【００５９】
（１０）体液吸収を行うものとしての一般的な使用に供され得る一般吸収性物品と、この一般吸収性物品よりも体液吸収能が小さく、当該一般吸収性物品と共に使用されてその体液吸収能を補助するものとして機能する特殊吸収性物品と、前記一般吸収性物品と前記特殊吸収性物品とを繋ぐ連結茎体と、から成り、前記一般吸収性物品及び前記特殊吸収性物品は、それぞれ単独もしくは組み合わせて使用されるものであり、かつ、前記連結茎体と適宜組み合わせて使用されるものである衛生用品セット。
【００６０】
本発明によれば、生理用ナプキン等、一般的に使用されている吸収性物品と、その体液吸収機能を補助してモレ防止効果を高めるための特殊吸収性物品とが、一組のセットとなっている。このため、着用者は、自己の体液の流出量に応じて、あるいは、その日の気分や体調に合わせて様々な組み合わせを楽しんで、本発明に係る衛生用品セットを使用することができる。例えば、女性の着用者が、経血の量に合わせて、一般吸収性物品単独で通常の生理用ナプキンと同様に使用したり、特殊吸収性物品等を適宜組み合わせてモレ防止効果の高い生理用品として使用したりすることができる。
【００６１】
このように、本発明に係る衛生用品セットは、既成の吸収性製品の性能による束縛から開放された、多様化された性能を有する衛生用品として利用することができる。
【００６２】
また、着用者は、本発明に係る衛生用品セットを持ってさえいれば、その場その場で最適な吸収性物品を構築することができる。このことは、外出に備えて予めそれにふさわしい吸収性物品を選択するという煩わしさから着用者を開放することになり、着用者の活動領域やアクティビティを拡大するという効果をもたらすこととなる。
【００６３】
【発明の実施の形態】
次に、本発明の吸収性物品取り付け用補助パッドの実施形態について、図を参照しつつ説明する。
【００６４】
図１は、本実施形態における吸収性物品取り付け用補助パッド２を説明するための概略上面図である。図２は、本実施形態における吸収性物品取り付け用補助パッド２を示す概略斜視図である。図３は、本実施形態の吸収性物品取り付け用補助パッド２を示す図２におけるＡ−Ａ視断面図である。図４は、本実施形態において生理用ナプキン１０に装着した状態の吸収性物品取り付け用補助パッド２を示す概略斜視図である。図５は、本実施形態における生理用ナプキン１０に装着した状態の吸収性物品取り付け用補助パッド２を示す図４のＢ−Ｂ視断面図である。
【００６５】
本実施形態の吸収性物品取り付け用補助パッド２は、体液を吸収する吸収シート体５と、生理用ナプキン１０と接着するための接合シート体７と、吸収シート体５と接合シート体７とを連結する連結茎体９と、から成る。この吸収性物品取り付け用補助パッド２を身体側から見た場合には、図１に示されるように、吸収シート体５のみが見えることとなる。この吸収シート体５に対しては、図２に示されるように、それと平行するように平坦状の接合シート体７が設けられている。接合シート体７は、その反身体側面に粘着剤６が塗布されており、ここでは図示しない生理用ナプキンに取り付けるようになっている。この接合シート体７と吸収シート体５とは、連結茎体９によって連結されている。
【００６６】
連結茎体９は、吸収性物品取り付け用補助パッド２と生理用ナプキンとの連動を遮断し得る柔軟性を備えている。このため、吸収性物品取り付け用補助パッド２を生理用ナプキンに取り付けて使用した着用者が活動した場合に、その活動に伴って着用者の陰唇に対して相対的な位置ズレが生理用ナプキンに生じたとしても、連結茎体９がその柔軟性をもって変形するだけなのであり、生理用ナプキンのズレに吸収シート体５が追従して位置ズレを起こしてしまうということが防止される。即ち、本発明に係る吸収性物品取り付け用補助パッド２においては、生理用ナプキンと着用者の陰唇との間にズレが生じた場合でも、生理用ナプキンに対して位相変化が起こるだけで済み、吸収シート体５は陰唇に密着したままの状態が維持されるのである。
【００６７】
図３に示されるように、吸収シート体５は、ほぼ縦長の形態の体液を吸収する吸収体３と、この吸収体３を被覆するカバーシート４とから成り、この吸収シート体５と接合シート体７とを繋ぐ連結茎体９が、吸収シート体５の短手方向におけるほぼ中央部分において長手方向に沿って延びるように設けられている。このため、吸収シート体５はここでは図示しない生理用ナプキンに対して安定した状態で支持されることとなり、着用時における生理用ナプキンの左右の位置ずれに対しても、着用者の股間に対して好的な接触状態を維持することができる。
【００６８】
吸収体３は、図３に示されるように、１枚のカバーシート４により身体面側から左右両側面を介して反身体面側へと回り込んで吸収体３全体を包むように覆われている。このカバーシート４は、吸収体３の裏面側においてその左右両端部の裏面が互いに貼り合わされた状態で接合され、そのまま下方に延出している。そして、かかる延出部分において連結茎体９が形成される。
【００６９】
連結茎体９を形成したカバーシート４は、その左右両端縁部を各々左右両側に平坦状に広げ、その平坦状に広がった部分の反身体側面において粘着剤６が塗布される。かかる平坦部分において接合シート体７が形成される。
【００７０】
このように、本実施形態に係る吸収性物品取り付け用補助パッド２においては、カバーシート４は、連結茎体９及び接合シート体７を兼用しているのであり、それらは一体的に形成されていることになる。このため、それぞれを別々に製造してから接着する場合に比べて、接続強度が大幅に向上することになる。
【００７１】
そして、上述のような構造を有する吸収性物品取り付け用補助パッド２は、図４に示すように、生理用ナプキン１０に貼着され、生理用品１として用いられることになる。
【００７２】
本実施形態に係る吸収性物品取り付け用補助パッド２を使用するに際しては、生理用ナプキン１０のほぼ中央部分に貼着させることが好ましい。これにより、生理用ナプキン１０が着用者の身体に対して左右いずれに横ズレを生じたとしても、着用者の股間に密着した吸収シート体５が股間内に維持されやすくなる。
【００７３】
図５に示されるように、吸収性物品取り付け用補助パッド２は、接合シート体７の裏面の粘着剤６を介して生理用ナプキン１０に取り付けて使用される。この場合において、身体側面から見ると、吸収シート体５と生理用ナプキン１０とは重なり合うようになっているが、その間には連結茎体９が存在しているため、両者は直接には接続されていない。このため、生理用ナプキン１０が上下方向及び横方向へと動いたとしても、吸収シート体５が継続的に着用者の内股に密着することができる。
【００７４】
次に、連結茎体９の取り付け状況について説明する。図６は、本実施形態に係る吸収性物品取り付け用補助パッド２を反身体側から見た図（Ａ）とその断面図（Ｂ）であり、図７は、他の実施形態に係る吸収性物品取り付け用補助パッド２を反身体側から見た図（Ａ）とその断面図（Ｂ）である。
【００７５】
本実施形態に係る吸収性物品取り付け用補助パッド２は、反身体側面から見た場合には図６（Ａ）に示されるように、連結茎体９は長手方向に連続して形成されている。そして、Ｘ−Ｘ視断面図である図６（Ｂ）に示されるように、連結茎体９の数量は１つである。この連結茎体９は、取り付け方向を異なるようにすることも可能であり、また、必要に応じて複数設けるようにすることも可能である。例えば、図７（Ａ）に示すように、吸収シート体５に対して連結茎体９を垂直に位置付け、図７（Ｂ）に示すように、２本の連結茎体９を設けることも可能である。このようにすることにより、連結茎体９の引張り強度を強めることができる。かかる構造によれば、柔軟性を確保しつつも、激しい変形に対応可能な連結茎体９とすることができる。
【００７６】
［連結茎体の構成］
連結茎体９は様々な構成方法により形成することが可能であり、以下にそれぞれについて具体的に説明する。
【００７７】
図８に示される吸収性物品取り付け用補助パッド１１においては、吸収シート体１６は、吸収体１２をその身体側に位置するカバーシート１３と反身体側に位置するカバーシート１４とによって挟み込むようにして接合することにより一体的に形成されている。そして、この吸収シート体１６の反身体側に連結茎体１８が配置されている。吸収体１２とカバーシート１３及び１４とは、全面、筋状、螺旋状あるいは繊維状に塗布された所謂感圧型ホットメルトにより接着されている。また、カバーシート１４と連結茎体１８とがホットメルトからなる接着剤１７により接着されている。このような構造によれば、吸収シート体１６、連結茎体１８、接合シート体１５を並行して製造することができるため、カバーシート１３及び１４や連結茎体１８について、それぞれ適切な異なる素材を組み合わせることができることとなる。
【００７８】
図９は比較形態である。図９に示される吸収性物品取り付け用補助パッド２０においては、カバーシート２２が吸収体２１を全面的に包囲し、カバーシート２２の両端部が吸収体２１の反身体側で上下に重なり合うようにして接合することにより吸収シート体２３を形成している。そして、カバーシート２２が互いに重なり合った部分において、板状の連結シート２４が接着剤２５を介して接合される。接合シート体２６は、不織布、フィルム、ラミネート紙等から成り、上述した連結シート２４と接着剤２７により固着されている。
【００７９】
図１０に示される吸収性物品取り付け用補助パッド３０においては、吸収体３１を被覆するカバーシート３２が、その両端部が吸収体３１の裏面側で重なり合うように吸収体３１を包囲させるようにすることにより、吸収シート体３３を形成している。そして、連結茎体３６には吸収シート体３３に接合するために粘着剤塗布領域３５が設けられている。この粘着剤塗布領域３５に接着剤３４を塗布することにより、連結茎体３６と吸収シート体３３が接合されている。
【００８０】
粘着剤塗布領域３５、連結茎体３６、接合シート体３７は、一連の二枚のシートを屈曲することにより形成されている。この二枚のシートが貼り合わせされた部分において連結茎体３６が形成され、貼り合わされていない部分において身体側に粘着剤塗布領域３５が、反身体側に接合シート体３７がそれぞれ形成される。
【００８１】
粘着剤塗布領域３５は、カバーシート３２が互いに重なり合って厚み寸法が増した部分において、吸収シート体３３と貼着されている。このようにすることにより、吸収シート体３３と連結茎体３６の連結部位が、上述の図８の実施形態と比較して強く、破損するおそれが低減される。
【００８２】
図１１（Ａ）に示される吸収性物品取り付け用補助パッド４０においては、連結茎体４１内に弾性伸縮部材４２が附設されている。このため、接合シート体４３を介して取り付けられた生理用ナプキン（図示せず）が着用者の身体に対して左右前後に移動したとしても、連結茎体４１は着用者の活動に伴う生理用ナプキンの移動に対し、適度な位置修正を行なうことができる。このような構成から、吸収シート体４４が生理用ナプキンの移動につられて移動してしまうことに対する抑制が強められ、モレ防止機能が一層高められることとなる。なお、接合シート体４３の吸収シート体４４に対する配置は、図１１（Ａ）の斜視図である図１１（Ｂ）から明らかなように、吸収シート体４４に対して平行となっている。
【００８３】
［吸収シート体の構成］
次に、吸収シート体の構成について説明する。
【００８４】
図１２は、吸収体５１をカバーシート５２で被覆した吸収シート体５３を説明するための説明図である。本実施形態においては、吸収体５１には従来の吸収製品の吸収体の構成材料として知られる材料若しくは複合材料が用いられている。
例えば、粉砕パルプ、粒状又は繊維状、フォーム状の高分子吸収剤、再生セルロース繊維、天然セルロース繊維、エアレイドパルフ、ティッシュ、合成繊維等を、単独若しくは混合して使用することができる。特に、着用中に吸収性材料が破損しない湿潤強度を有するようにするために、具体的には、粉砕パルプを１００ｇ／ｃｍ２の目付けで積層したポリアクリル酸ソーダの高分子吸収材を３０ｇ／ｃｍ２の割合で混合し、結合材を散布してからシート化し、嵩１．５ｍｍに調整されたエアレイド吸収材料を三枚積層することにより得られた吸収性材料が好ましい。各エアレイド吸収材料は、円筒状を形成するよう何重か巻き込むことにより形成することもできる。
【００８５】
図１３は、吸収体６２の下面側に弾性回復シート６３を重ねた構造を有する吸収シート体６１を説明するための説明図である。この構造によれば、体液を吸収する吸収体６２の反身体側に弾性回復シート６３が重ねられ、吸収体６２及び弾性回復シート６３を全体としてカバーシート６４が覆うように包囲している。このように吸収シート体６１は２つの層から成り、このうちの１層は弾性回復シート６３であるので、吸収シート体６１はその変形に対して元の形状に戻そうとする力が付加されていることとなる。このため、図１２の場合のように吸収体のみから構成される場合と比較して、吸収シート体６２に折れ曲がりやへこみなどの変形を生じた際にも、股間などへの安定した接触を維持しやすく、かつ、着用感を損なうことなく、より向上したフィット性を維持することが可能となる。
【００８６】
なお、図１３においては、上述の通り吸収シート体６１は２つの層から成り、そのうち１つの層が弾性回復シート６３とされているものが示されているが、これに限定されるものではなく、例えば、吸収体６２を２つとし、その間に弾性回復シート６３を挟み込むような構造とすることも可能である。
【００８７】
図１４は、吸収体７１と弾性回復シート７２とを平面的に重ね合わせて構成された吸収シート体７３を説明するための説明図である。この構造によれば、吸収体７１の内側面と弾性回復シート７２の表側面が貼り合わされ、吸収体７１が弾性回復シート７２を内包するようになっている。このため、吸収シート体７３のどの部分に対する圧力に対しても吸収体７１の形状を維持することが可能となり、身体側からの圧力に対応する図１３に示される吸収シート体６１より一層吸収シート体７３の変形を低減することが可能となる。なお、図１４においてはカバーシートを省略する。
【００８８】
図１５は比較形態である。図１５は、吸収体８１と弾性回復シート８２とを、カバーシート８３と共に吸収シート体８９における短手方向の中央部で折り曲げて山状部８０を形成した吸収シート体８９を説明するための説明図である。本比較形態によれば、吸収体８１の反身体側面と弾性回復シート８２の身体側面が重ね合わせられ、カバーシート８３と共に折り曲げて、肌当接面側に向けて切妻屋根状の山状部８０が形成されている。山状部８０に対応する底面にはカバーシート８３の端部が重ね合わせられ、接着剤８３ａで貼着されている。このカバーシート８３が重ね合わさっている部分において、接着剤８４によって連結茎体としての連結シート８５が接合されており、この連結シート８５が接着剤８６によって、接合シート体８７と接合されている。
【００８９】
隆起した吸収シート体８９の下面側には、山状部８０に対応する部分において、連結茎体としての連結シート８５と、粘着剤８８を塗布された接合シート体８７とが、接着剤８６により固定されている。このような構造によれば、装着時において、着用者が、臀部の隙間などの凹形状部分に吸収シート体８９を面状に接触させやすくなるため、後方モレなどを抑制するために非常に有効である。
【００９０】
図１６は比較形態である。図１６は、吸収体９１及びこの裏面に貼着された弾性回復シート９２が山状部９０の底面側に隆起構造の両側縁を繋ぐ規制シート９３を介在させた吸収シート体９５を説明するための説明図である。本比較形態によれば、吸収体９１及びこの裏面に貼着された弾性回復シート９２の山状部９０に対応する部分において、規制シート９３が山状部９０の両側縁を繋ぐようにして取り付けられている。そして、吸収体９１、弾性回復シート９２及び規制シート９３の全体をくるむようにして、カバーシート９４が配置されており、規制シート９３の反身体側面において、カバーシート９４の端部が重ね合わせられ、接着剤９４ａで貼着されることにより、吸収シート体９５が形成されている。このような構造によれば、折り曲げられた吸収シート体９５と弾性回復シート９２が広がってしまうのが防止され、山状部９０の形態保持性が高められる。
【００９１】
【発明の効果】
以上のような本発明に係る吸収性物品取り付け用補助パッドによれば、着用者の活動に伴って吸収性物品に着用者の身体に対する位置ズレが生じた場合であっても、吸収性物品の体液吸収を補助して、体液のモレを効果的に防止することができる。
【００９２】
また、着用が長時間に及んだ場合にもフィット感が好ましく、携帯に便利な吸収性物品用の補助具とすることもできる。
【図面の簡単な説明】
【図１】  本実施形態における吸収性物品取り付け用補助パッドを説明するための概略上面図である。
【図２】  本実施形態における吸収性物品取り付け用補助パッドを示す概略斜視図である。
【図３】  本実施形態の吸収性物品取り付け用補助パッドの吸収体を示す図２におけるＡ−Ａ視断面図である。
【図４】  本実施形態において吸収性物品取り付け用補助パッドを生理用ナプキンに取り付けた状態を示す概略斜視図である。
【図５】  本実施形態の吸収性物品取り付け用補助パッドを生理用ナプキンに取り付けた状態を示す図４のＢ−Ｂ視断面図である。
【図６】  本実施形態に係る吸収性物品取り付け用補助パッドを反身体側から見た図とその断面図である。
【図７】  他の実施形態に係る吸収性物品取り付け用補助パッドを反身体側から見た図とその断面図である。
【図８】  本実施形態の連結茎体の一例を示す図であって、カバーシートにより吸収体を挟み込んで被覆することにより形成される吸収シート体に連結茎体を取り付けているものである。
【図９】  比較形態の連結茎体の一例を示す図であって、連結茎体が連結シートで構成されているものである。
【図１０】  本実施形態の連結茎体の一例を示す図であって、カバーシートの両端部が吸収体の裏面側で重なり合う部分に連結茎体が取り付けられているものである。
【図１１】  本実施形態において、連結茎体に弾性伸縮部材を附設した事例を説明するための説明図である。
【図１２】  本実施形態の吸収シート体の一例を示す図であって、吸収体をカバーシートで被覆したものである。
【図１３】  本実施形態の吸収シート体の一例を示す図であって、吸収体の下面側に弾性回復シートを重ねたものである。
【図１４】  本実施形態の吸収シート体の一例を示す図であって、吸収体と弾性回復シートとを平面的に重ね合わせ、これを円筒状に巻き上げたものである。
【図１５】  比較形態の吸収シート体の一例を示す図であって、吸収体の下面と弾性回復シートの上面とを重ね、カバーシートを底面側に延在させ重なり部分を接着剤で固定し肌当接面側に向けて突状に隆起させたものである。
【図１６】  比較形態の吸収シート体の一例を示す図であって、吸収体及びこの裏面に貼着された弾性回復シートの隆起構造の底面側に隆起構造の両側縁を繋ぐ規制シートを介在させたものである。
【図１】
0004573475.tif 000002
【図２】
0004573475.tif 000003
【図３】
0004573475.tif 000004
【図４】
0004573475.tif 000005
【図５】
0004573475.tif 000006
【図６】
0004573475.tif 000007
【図７】
0004573475.tif 000008
【図８】
0004573475.tif 000009
【図９】
0004573475.tif 000010
【図１０】
0004573475.tif 000011
【図１１】
0004573475.tif 000012
【図１２】
0004573475.tif 000013
【図１３】
0004573475.tif 000014
【図１４】
0004573475.tif 000015
【図１５】
0004573475.tif 000016
【図１６】
0004573475.tif 000017